(57)【要約】【課題】受信した電子メールが、国外から送信された電子メールであるか否かを判別してユーザに通知できる通信端末装置を提供する。【解決手段】制御部１は、無線部４がＧＰＳ衛星からの無線信号で伝送された情報を基に求めた通信端末装置の位置から、該通信端末装置が所在する国名を求め、その国名を記憶領域２ｂに記憶する。制御部１は、送信する電子メールに、記憶領域２ｂに記憶した国名を添付して、基地局に送信する。制御部１は、受信した電子メールに添付された国名と、記憶領域２ｂに記憶した該通信端末装置の国名とが一致しない時は、国外から送信された電子メールを受信した旨を、表示部６に表示すると共に、音声出力部７から出力し、ユーザに知らせる。【選択図】        図１
2004310368.tif 000002
【特許請求の範囲】
【請求項１】
電子メールの送受信機能を備えた通信端末装置において、該通信端末装置は、基地局あるいはＧＰＳ衛星等からの無線信号を受信する受信手段と、受信した無線信号に含まれる位置情報により、該通信端末装置が所在する位置を特定する位置特定手段と、国名と該国名が属する位置とを関連付けている変換テーブルを格納している記憶手段と、該変換テーブルを用いて、前記位置特定手段が特定した位置を該位置が属する国名に変換する変換手段と、該変換手段が変換した国名を記憶する国名記憶手段と、該国名記憶手段に記憶した国名を、送信する電子メールに添付する国名添付手段とを有することを特徴とする通信端末装置。
【請求項２】
電子メールの送受信機能を備えた通信端末装置において、該通信端末装置は、基地局あるいはＧＰＳ衛星等からの無線信号を受信する受信手段と、受信した無線信号に含まれる位置情報により、該通信端末装置が所在する位置を特定する位置特定手段と、国名と該国名が属する位置とを関連付けている変換テーブルを格納している記憶手段と、該変換テーブルを用いて、前記位置特定手段が特定した位置を該位置が属する国名に変換する変換手段と、該変換手段が変換した国名を記憶する国名記憶手段と、国名が添付された電子メールを受信した時に、該電子メールに添付された国名と前記国名記憶手段に記憶した国名とを比較する比較手段と、該比較手段の比較結果が一致した時に、前記通信端末装置が所在する国からの電子メールを受信した旨を通知し、該比較手段の比較結果が一致しない時に、前記通信端末装置が所在する国以外の国からの電子メールを受信した旨を通知する通知手段とを有することを特徴とする通信端末装置。
【請求項３】
電子メールの送受信機能を備えた通信端末装置において、該通信端末装置は、基地局あるいはＧＰＳ衛星等からの無線信号を受信する受信手段と、受信した無線信号に含まれる位置情報により、該通信端末装置が所在する位置を特定する位置特定手段と、国名と該国名が属する位置とを関連付けている変換テーブルを格納している記憶手段と、該変換テーブルを用いて、前記位置特定手段が特定した位置を該位置が属する国名に変換する変換手段と、該変換手段が変換した国名を記憶する国名記憶手段と、国名が添付された電子メールが着信した時に、該電子メールに添付された国名と前記国名記憶手段に記憶した国名とを比較する比較手段と、該比較手段の比較結果が一致した電子メールの受信を拒否する、あるいは、該比較手段の比較結果が一致しない電子メールの受信を拒否する拒否手段とを有することを特徴とする通信端末装置。
【請求項４】
前記通信端末装置は、電子メールの受信拒否を開始する開始時刻と受信拒否を解除する解除時刻とを指定する時刻指定手段と、該時刻指定手段により指定された受信拒否の開始時刻と受信拒否の解除時刻との間に電子メールが着信した時は、該電子メールの受信を拒否する拒否手段とを有することを特徴とする請求項３に記載の通信端末装置。
【請求項５】
電子メールの送受信機能を備えた通信端末装置において、該通信端末装置は、国名を指定する国名指定手段と、該国名指定手段により指定された国名を記憶する指定国名記憶手段と、国名が添付された電子メールを受信した時に、該電子メールに添付された国名と前記指定国名記憶手段に記憶した国名とを比較する比較手段と、該比較手段の比較結果が一致した時に、前記国名指定手段により指定された国からの電子メールを受信した旨を通知し、前記比較手段の比較結果が一致しない時に、前記国名指定手段により指定された国以外の国からの電子メールを受信した旨を通知する通知手段とを有することを特徴とする通信端末装置。
【請求項６】
電子メールの送受信機能を備えた通信端末装置において、該通信端末装置は、国名を指定する国名指定手段と、該国名指定手段により指定された国名を記憶する指定国名記憶手段と、国名が添付された電子メールが着信した時に、該電子メールに添付された国名と前記指定国名記憶手段に記憶した国名とを比較する比較手段と、該比較手段の比較結果が一致した電子メールの受信を拒否する、あるいは、該比較手段の比較結果が一致しない電子メールの受信を拒否する拒否手段とを有することを特徴とする通信端末装置。
【請求項７】
前記通信端末装置は、電子メールの受信拒否を開始する開始時刻と受信拒否を解除する解除時刻とを指定する時刻指定手段と、該時刻指定手段により指定された受信拒否の開始時刻と受信拒否の解除時刻との間に電子メールが着信した時は、該電子メールの受信を拒否する拒否手段とを有することを特徴とする請求項６に記載の通信端末装置。
【請求項８】
電子メールの送受信機能を備えた通信端末装置において、該通信端末装置は、基地局あるいはＧＰＳ衛星等からの無線信号を受信する受信手段と、受信した無線信号に含まれる位置情報により、該通信端末装置が所在する位置を特定する位置特定手段と、国名と該国名が属する位置とを関連付けている変換テーブルを格納している記憶手段と、該変換テーブルを用いて、前記位置特定手段が特定した位置を該位置が属する国名に変換する変換手段と、該変換手段が変換した国名を記憶する国名記憶手段と、該国名記憶手段に記憶した国名を、送信する電子メールに添付する国名添付手段とを有することを特徴とする請求項２ないし７のいずれかに記載の通信端末装置。
【請求項９】
前記通信端末装置は、前記国名記憶手段が記憶した国名を表示する表示手段を有することを特徴とする請求項１ないし４または８のいずれかに記載の通信端末装置。
【発明の詳細な説明】
【０００１】
【発明の属する技術分野】
本発明は、通信端末装置に関し、より詳細には、電子メール送受信機能を備えた携帯電話機を含む通信端末装置において、基地局やＧＰＳ（Ｇｌｏｂａｌ  Ｐｏｓｉｔｉｏｎｉｎｇ  Ｓｙｓｔｅｍ）衛星から得た位置情報を利用して、受信した電子メールが、国外から送信された電子メールであるか否かを判別してユーザに知らせることができる通信端末装置に関する。
【０００２】
【従来の技術】
電子メールは、パーソナルコンピュータの普及に伴い全世界で利用されるようになっており、近年、電子メールの送受信機能を有する携帯電話機を始めとする通信端末装置が提供され、特に、仕事や観光で旅行するユーザが、国内だけでなく海外でも携帯電話機から電子メールを送受信することが多くなってきている。電子メールは、電子メール交換の標準プロトコルであるＳＭＴＰ（ＳｉｍｐｌｅＭａｉｌ  Ｔｒａｎｓｆｅｒ  Ｐｒｏｔｏｃｏｌ）などを用いて送受信され、電子メールの宛先、タイトル、本文が送信者の電子メールアドレスと共に送信される。電子メールを受信したユーザは、送信者の電子メールアドレスにより、電子メールが誰から送信されたかを知ることはできるが、送信者がどこの国から送信したかは、受信した電子メールから知ることはできなかった。
【０００３】
近年、ＧＰＳ衛星から得た情報を基に通信端末装置が所在する緯度と経度を求め、求めた緯度と経度を利用して、あるいは、基地局から送信される位置情報を利用して、電子メールの送信者の居る場所を通知できるようにした通信端末装置が、提案されている。例えば、特開２００２−１９１０６７号公報（携帯通信機器）に示されているように、ＧＰＳ衛星から獲得した位置情報により、自己の現在位置を表示した地図や自己の現在位置の住所をメールに添付して相手側に送信するもの（例えば、特許文献１参照）、あるいは、特開平１０−１３６４３７号公報（セルラー通信システム）に示されているように、基地局が自分の地理的位置を移動局（通信端末装置）に知らせて、その位置情報を移動局に記憶させ、発呼メッセージにその位置情報を添付して呼を発し、相手側に自分の位置を知らせるもの（例えば、特許文献２参照）が提案されている。
【０００４】
【特許文献１】
特開２００２−１９１０６７号公報（第３、４頁、第１図）
【特許文献２】
特開平１０−１３６４３７号公報（第５、６頁、第１図）
【０００５】
【発明が解決しようとする課題】
しかしながら、これらの従来技術による通信端末装置は、ＧＰＳ衛星から得た位置情報、具体的には、緯度と経度を利用して、あるいは、基地局から送信される位置情報を利用して、送信相手に電子メールの送信者の居る場所を知らせるものであり、その場所がどこの国であるかという情報を提供していないため、受信した電子メールが、国外から送信された電子メールなのか否かを区別することができなかった。
【０００６】
本発明は、上述のごとき実情に鑑みてなされたもので、受信した電子メールが、どこの国から送信された電子メールであるかを判別できる、具体的には、電子メールを送信する通信端末装置が所在する国名を、送信する電子メールに添付して送信することにより、受信した電子メールが、国内から送信された電子メールなのか、国外から送信された電子メールなのかを区別してユーザに通知できる通信端末装置を提供することを目的とする。
【０００７】
また、国外から送信された電子メールの受信を拒否できる通信端末装置を提供することを目的とする。
【０００８】
また、国名を指定可能として、指定した国あるいは指定しなかった国から送信された電子メールなのか否かを区別して、ユーザに通知できる、また、受信を拒否できる通信端末装置を提供することを目的とする。
【０００９】
【課題を解決するための手段】
本発明は、電子メールの送受信機能を備えた通信端末装置において、該通信端末装置は、基地局あるいはＧＰＳ衛星等からの無線信号を受信する受信手段と、受信した無線信号に含まれる位置情報により、該通信端末装置が所在する位置を特定する位置特定手段と、国名と該国名が属する位置とを関連付けている変換テーブルを格納している記憶手段と、該変換テーブルを用いて、前記位置特定手段が特定した位置を該位置が属する国名に変換する変換手段と、該変換手段が変換した国名を記憶する国名記憶手段と、該国名記憶手段に記憶した国名を、送信する電子メールに添付する国名添付手段とを有することを特徴とする。
【００１０】
また、電子メールの送受信機能を備えた通信端末装置において、該通信端末装置は、基地局あるいはＧＰＳ衛星等からの無線信号を受信する受信手段と、受信した無線信号に含まれる位置情報により、該通信端末装置が所在する位置を特定する位置特定手段と、国名と該国名が属する位置とを関連付けている変換テーブルを格納している記憶手段と、該変換テーブルを用いて、前記位置特定手段が特定した位置を該位置が属する国名に変換する変換手段と、該変換手段が変換した国名を記憶する国名記憶手段と、国名が添付された電子メールを受信した時に、該電子メールに添付された国名と前記国名記憶手段に記憶した国名とを比較する比較手段と、該比較手段の比較結果が一致した時に、前記通信端末装置が所在する国からの電子メールを受信した旨を通知し、該比較手段の比較結果が一致しない時に、前記通信端末装置が所在する国以外の国からの電子メールを受信した旨を通知する通知手段とを有することを特徴とする。
【００１１】
また、電子メールの送受信機能を備えた通信端末装置において、該通信端末装置は、基地局あるいはＧＰＳ衛星等からの無線信号を受信する受信手段と、受信した無線信号に含まれる位置情報により、該通信端末装置が所在する位置を特定する位置特定手段と、国名と該国名が属する位置とを関連付けている変換テーブルを格納している記憶手段と、該変換テーブルを用いて、前記位置特定手段が特定した位置を該位置が属する国名に変換する変換手段と、該変換手段が変換した国名を記憶する国名記憶手段と、国名が添付された電子メールが着信した時に、該電子メールに添付された国名と前記国名記憶手段に記憶した国名とを比較する比較手段と、該比較手段の比較結果が一致した電子メールの受信を拒否する、あるいは、該比較手段の比較結果が一致しない電子メールの受信を拒否する拒否手段とを有することを特徴とする。
【００１２】
また、前記通信端末装置は、電子メールの受信拒否を開始する開始時刻と受信拒否を解除する解除時刻とを指定する時刻指定手段と、該時刻指定手段により指定された受信拒否の開始時刻と受信拒否の解除時刻との間に電子メールが着信した時は、該電子メールの受信を拒否する拒否手段とを有することを特徴とする。
【００１３】
また、電子メールの送受信機能を備えた通信端末装置において、該通信端末装置は、国名を指定する国名指定手段と、該国名指定手段により指定された国名を記憶する指定国名記憶手段と、国名が添付された電子メールを受信した時に、該電子メールに添付された国名と前記指定国名記憶手段に記憶した国名とを比較する比較手段と、該比較手段の比較結果が一致した時に、前記国名指定手段により指定された国からの電子メールを受信した旨を通知し、前記比較手段の比較結果が一致しない時に、前記国名指定手段により指定された国以外の国からの電子メールを受信した旨を通知する通知手段とを有することを特徴とする。
【００１４】
また、電子メールの送受信機能を備えた通信端末装置において、該通信端末装置は、国名を指定する国名指定手段と、該国名指定手段により指定された国名を記憶する指定国名記憶手段と、国名が添付された電子メールが着信した時に、該電子メールに添付された国名と前記指定国名記憶手段に記憶した国名とを比較する比較手段と、該比較手段の比較結果が一致した電子メールの受信を拒否する、あるいは、該比較手段の比較結果が一致しない電子メールの受信を拒否する拒否手段とを有することを特徴とする。
【００１５】
また、前記通信端末装置は、電子メールの受信拒否を開始する開始時刻と受信拒否を解除する解除時刻とを指定する時刻指定手段と、該時刻指定手段により指定された受信拒否の開始時刻と受信拒否の解除時刻との間に電子メールが着信した時は、該電子メールの受信を拒否する拒否手段とを有することを特徴とする。
【００１６】
また、前記通信端末装置は、基地局あるいはＧＰＳ衛星等からの無線信号を受信する受信手段と、受信した無線信号に含まれる位置情報により、該通信端末装置が所在する位置を特定する位置特定手段と、国名と該国名が属する位置とを関連付けている変換テーブルを格納している記憶手段と、該変換テーブルを用いて、前記位置特定手段が特定した位置を該位置が属する国名に変換する変換手段と、該変換手段が変換した国名を記憶する国名記憶手段と、該国名記憶手段に記憶した国名を、送信する電子メールに添付する国名添付手段とを有することを特徴とする。
【００１７】
また、前記通信端末装置は、前記国名記憶手段が記憶した国名を表示する表示手段を有することを特徴とする。
【００１８】
【発明の実施の形態】
図１は、本発明による通信端末装置の一実施例のブロック図であり、アンテナ３は、基地局との間で無線信号を送受信するための受信手段と、ＧＰＳ衛星からの無線信号を受信するための受信手段を兼用したアンテナである。無線部４は、アンテナ３を介して、基地局との間で、音声を伝送する信号と電子メールを伝送する信号を送受信し、アンテナ３で受信した信号を通信端末装置全体を制御する制御部１に送り、また、制御部１からの信号を、アンテナ３を介して基地局に送信する。制御部１は、無線部４からの音声信号を音声出力部７、例えば、スピーカから出力し、ユーザに伝える。ユーザは、音声入力部８、例えば、マイクにより音声を入力し、入力された音声は、音声入力部８から音声信号として制御部１に送られ、制御部１は、その音声信号を無線部４に送る。
【００１９】
また、無線部４は、ＧＰＳ衛星からの無線信号を受信し、無線信号で伝送された位置情報、例えば、該通信端末装置が所在する位置を特定する緯度と経度を位置情報として、制御部１に知らせる。記憶部２の記憶領域２ａには、位置情報を国名、例えば、日本、アメリカ、フランス等の国名と関連付けている変換テーブルが格納されている。制御部１は、無線部４から知らされた位置情報を、この変換テーブルを用いて、その位置情報が示す位置が属する国名に変換し、変換により求めた国名を記憶部２の記憶領域２ｂに記憶する。ユーザは、操作部５を操作して、この国名を表示部６に表示し、ユーザ自身が現在居る国名を確認することができる。
【００２０】
ユーザは、テンキーや十字キー等のキーからなる操作部５から、電子メールの宛先、タイトル、および、本文等のデータを入力すると、制御部１は、入力されたデータを液晶表示等の表示部６に表示する。ユーザは、表示部６に表示された電子メールの内容を確認し、作成した電子メールの送信を指示すると、制御部１は、作成された電子メールに、記憶部２の記憶領域２ｂに記憶した国名を添付し、例えば、国名をテキストファイルに記述し、そのテキストファイルを添付した電子メールを無線部４に送る。その電子メールは、無線部４で無線信号に変調されて、アンテナ３から基地局に送信される。ここでは、国名をテキストファイルに記述し、そのテキストファイルを電子メールに添付して送信したが、ＳＭＴＰの拡張プロトコルを用いて、国名を送信しても良いし、宛先部分を拡張して、宛先に国名を付加して送信しても良い。
【００２１】
基地局から伝送される電子メールは、アンテナ３で受信され、無線部４で復調された後、制御部１に送られる。制御部１は、受信した電子メールに添付された国名を取得し、取得した国名を記憶部２の記憶領域２ｃに記憶する。制御部１は、記憶部２の記憶領域２ｃに記憶した国名と、記憶部２の記憶領域２ｂに記憶した該通信端末装置の国名とを比較し、一致した時は、国内からの電子メールと判断し、国内からの電子メールを受信した旨を、表示部６に表示すると共に、音声出力部７から音や音声を出力し、ユーザに知らせる。国名が、不一致の時は、国外からの電子メールと判断し、国内からの電子メールを受信した場合とは異なった表示を、表示部６に表示すると共に、国内からの電子メールを受信した場合とは異なった音や音声を、音声出力部７から出力し、ユーザに知らせる。ユーザは、操作部５から制御部１に指示して、受信した電子メールの内容と送信元の国名を、表示部６に表示して確認できる。
【００２２】
上述した実施例では、国名を、ＧＰＳ衛星からの情報を基に求めた位置情報を用いて変換したが、基地局から送信される位置情報を用いて国名に変換するように構成しても良い。
【００２３】
図２は、本発明による通信端末装置の一実施例の位置情報から国名を求めるフローチャートであり、送信側の通信端末装置において、電子メールを送信する前に事前に行なわれる処理を示している。無線部４は、ＧＰＳ衛星からの無線信号を受信して、無線信号で伝送される位置情報を取得し（ステップＳ１）、取得した位置情報を、制御部１に知らせると（ステップＳ２）、制御部１は、記憶部２の記憶領域２ａに格納されている変換テーブルを用いて、その位置情報を、その位置情報が示す位置が属する国名に変換し（ステップＳ３）、変換により求めた国名を記憶部２の記憶領域２ｂに記憶する（ステップＳ４）。通信端末装置が所在する国名は、電源投入時、および、電源投入後は、定期的に、例えば、１回／１日、あるいは、１回／１時間といった間隔で更新する。電子メールの送受信頻度が少ない場合は、電子メールの送受信時に更新しても良いし、操作部５からの指示により、国名を更新できるようにしても良い。
【００２４】
図３は、本発明による通信端末装置の一実施例の電子メールを送信するフローチャートである。ユーザは、操作部５から宛先、タイトル、本文等のデータを入力して、電子メールを作成し（ステップＳ１１）、電子メールの作成が完了すると、操作部５から電子メールの送信を指示する（ステップＳ１２）。電子メールの送信が指示されると、制御部１は、記憶部２の記憶領域２ｂから通信端末装置の国名を読み出して（ステップＳ１３）、読み出した国名を電子メールに添付し（ステップＳ１４）、無線部４を通じて、国名を添付した電子メールを送信する（ステップＳ１５）。
【００２５】
図４は、本発明による通信端末装置の一実施例の電子メール受信時の処理を示すフローチャートである。この実施例は、受信側の通信端末装置の処理を示しているが、送信側の通信端末装置と同様に、事前に、図２に示した位置情報から国名を求める処理が行なわれている。無線部４が、電子メールを受信し、その電子メールを制御部１に送ると（ステップＳ２１）、制御部１は、電子メールに添付されている国名を取得し（ステップＳ２２）、取得した国名を記憶部２の記憶領域２ｃに記憶する（ステップＳ２３）。制御部１は、記憶領域２ｂに記憶した国名、つまり、電子メールを受信した通信端末装置が所在する国と、記憶領域２ｃに記憶した国名、つまり、電子メールを送信した通信端末装置が所在する国とが同じであるか異なるかを比較する（ステップＳ２４）。
【００２６】
比較した国名が一致した時は、国内から送信された電子メールを受信した旨を、表示部６に表示すると共に、音声出力部７からの音や音声により、ユーザに通知する（ステップＳ２５）。また、比較した国名が一致しない時は、国外から送信された電子メールを受信した旨を、表示部６に表示すると共に、国内から送信された電子メールを受信した時とは異なる音や音声を音声出力部７から出力することにより、ユーザに通知する（ステップＳ２６）。
【００２７】
図５は、本発明による通信端末装置の他の実施例の電子メール受信時の処理を示すフローチャートであり、着信した電子メールの受信を拒否できる実施例である。この実施例も、送信側の通信端末装置と同様に、事前に、図２に示した位置情報から国名を求める処理が行なわれている。電子メールが着信すると、無線部４は、その電子メールを制御部１に送る（ステップＳ３１）。制御部１は、電子メールに添付されている国名を取得し（ステップＳ３２）、取得した国名を記憶部２の記憶領域２ｃに記憶する（ステップＳ３３）。制御部１は、記憶領域２ｂに記憶した国名、つまり、電子メールが着信した通信端末装置が所在する国と、記憶領域２ｃに記憶した国名、つまり、電子メールを送信した通信端末装置が所在する国とが同じであるか異なるかを比較する（ステップＳ３４）。
【００２８】
比較した国名が一致した時は、国内から送信された電子メールを受信した旨を、表示部６に表示すると共に、音声出力部７からの音や音声により、ユーザに通知する（ステップＳ３５）。また、比較した国名が一致しない時は、送信された電子メールの受信を拒否する（ステップＳ３６）。この実施例では、国外からの電子メールを拒否したが、ステップＳ３４での判定を反対にすれば、国内からの電子メールを拒否することもできる。
【００２９】
図６は、本発明による通信端末装置のさらに他の実施例の国名を事前に設定するフローチャートであり、この実施例は、着信した電子メールが通信端末装置が所在する国と同一の国から送信されたかどうかではなく、ユーザが指定した国から送信されたかどうかにより処理を行なうものである。ユーザは、操作部５から国名を指定する。この国名の指定は、例えば、通信端末装置に予め格納されている国名の中から選択しても良いし、あるいは、国名を指定しても良く、指定方法はこれらに限定されるものではない。制御部１は、ユーザが操作部５から指定した国名を取り込み（ステップＳ４１）、取り込んだ国名を記憶部２の記憶領域２ｄに記憶して終了する（ステップＳ４２）。
【００３０】
図７は、本発明による通信端末装置のさらに他の実施例での電子メール着信時の処理を示すフローチャートである。無線部４が、電子メールを受信し、その電子メールを制御部１に送ると（ステップＳ５１）、制御部１は、電子メールに添付されている国名を取得し（ステップＳ５２）、取得した国名を記憶部２の記憶領域２ｃに記憶する（ステップＳ５３）。制御部１が、記憶部２の記憶領域２ｄに記憶した国名、つまり、ユーザが指定した国名と、記憶領域２ｃに記憶した国名、つまり、電子メールを送信した通信端末装置が所在する国の国名とを比較し（ステップＳ５４）、一致している場合は、指定された国と同一の国から送信された電子メールを受信した旨を、表示部６に表示すると共に、音声出力部７からの出力により、ユーザに通知する（ステップＳ５５）。それらが一致しない時は、指定された国以外の国からの電子メールを受信した旨を表示して終了する（ステップＳ５６）。
【００３１】
図８は、本発明による通信端末装置のさらに他の実施例での電子メール着信時の処理を示すフローチャートであり、着信した電子メールの受信を拒否する実施例である。電子メールが着信し、無線部４が、その電子メールを制御部１に送ると（ステップＳ６１）、制御部１は、電子メールに添付されている国名を取得し（ステップＳ６２）、取得した国名を記憶部２の記憶領域２ｃに記憶する（ステップＳ６３）。制御部１が、記憶部２の記憶領域２ｄに記憶した国名、つまり、ユーザが指定した国名と、記憶領域２ｃに記憶した国名、つまり、電子メールを送信した通信端末装置が所在する国の国名とを比較し（ステップＳ６４）、一致している場合は、指定された国と同一の国から送信された電子メールを受信した旨を、表示部６に表示すると共に、音声出力部７からの出力により、ユーザに通知する（ステップＳ６５）。それらが一致しない時は、着信した電子メールの受信を拒否して終了する（ステップＳ６６）。この実施例では、指定された国以外からの電子メールを拒否したが、ステップＳ６４での判定を反対にすれば、指定した国からの電子メールを拒否することもできる。
【００３２】
図９は、本発明による通信端末装置のさらに他の実施例の着信時の処理を事前に設定するフローチャートであり、図６に示した処理に時刻指定の処理を追加したもので、図６と同じ処理の説明は省略する。操作部５から時刻指定があったか否か判断し（ステップＳ４３）、時刻指定がない時は、そのまま終了する。時刻指定がある時は、ユーザが操作部５から入力した受信拒否の開始時刻と解除時刻を取り込み（ステップＳ４４）、時刻指定が有ることと取り込んだ開始時刻と解除時刻とを記憶部２の記憶領域２ｄに記憶する（ステップＳ４５）。
【００３３】
図１０は、本発明による通信端末装置のさらに他の実施例での電子メール着信時の処理を示すフローチャートであり、図８に示した処理に着信した時刻により受信を拒否する処理を追加したもので、図８と同じ処理の説明は省略する。制御部１が、記憶部２の記憶領域２ｄに記憶した国名、つまり、ユーザが指定した国名と、記憶領域２ｃに記憶した国名、つまり、電子メールを送信した通信端末装置が所在する国名とを比較し（ステップＳ６４）、それらが一致しない時は、記憶部２の記憶領域２ｄに時刻指定が記憶されているか否か判断し（ステップＳ６７）、時刻指定が記憶されていない時は、電子メールの受信を拒否して終了する（ステップＳ６６）。時刻指定が記憶されている時は、電子メールが着信した時刻が、時刻指定の開始時刻から解除時刻までの間の時刻か否か判断し（ステップＳ６８）、電子メールが着信した時刻が、時刻指定の開始時刻から解除時刻までの間の時刻である時は、電子メールの受信を拒否して終了し（ステップＳ６６）、電子メールが着信した時刻が、時刻指定の開始時刻から解除時刻までの間の時刻でない時は、着信した電子メールを受信し、指定された国以外の国からの電子メールを受信した旨を表示して終了する（ステップＳ６９）。
【００３４】
図１０では、ユーザが指定した国に対する時刻指定による受信を拒否する実施例を示したが、通信端末装置が所在する国に対する時刻指定による受信を拒否する実施例も以下のようにすれば、実現できる。すなわち、図９に示したステップＳ４３から４５の時刻指定の処理を図５に示した実施例の受信側の通信端末装置に対して行ない、さらに、図５に示した処理のステップ３４での判定がＮＯの場合の後に、図１０に示したステップＳ６６からＳ６９に相当する処理を追加することにより実現できる。但し、この場合は、電子メールが着信した時刻が、時刻指定の開始時刻から解除時刻までの間の時刻でない時は、国外からの電子メールを受信した旨を表示して終了する。
【００３５】
【発明の効果】
本発明によれば、通信端末装置のユーザは、電子メールを受信した時に、受信した電子メールが、国外からの電子メールであるかどうかを知ることができる。また、電子メールの受信者は、送信者がどこの国にいるかを知ることができる。
【００３６】
また、電子メールの受信を拒否する設定にすることにより、国外からの電子メールの受信を拒否して、迷惑メールによる被害を軽減でき、また、受信を拒否する時刻を指定することにより、国外からの電子メールの受信を一時的に、例えば、深夜の間拒否することもできる。
【００３７】
また、ユーザが複数の国を移動する場合、自分の通信端末装置が位置する国名を表示することにより、例えば、国境を越えた時に、自分がどこの国に入ったかを知ることができる。
【００３８】
また、指定した国あるいは指定しなかった国から送信された電子メールなのか否かを区別して、ユーザに通知でき、また、電子メールの受信を拒否できる。
【図面の簡単な説明】
【図１】本発明による通信端末装置の一実施例のブロック図である。
【図２】本発明による通信端末装置の一実施例の位置情報から国名を求めるフローチャートである。
【図３】本発明による通信端末装置の一実施例の電子メールを送信するフローチャートである。
【図４】本発明による通信端末装置の一実施例の電子メール受信時の処理を示すフローチャートである。
【図５】本発明による通信端末装置の他の実施例の電子メール受信時の処理を示すフローチャートである。
【図６】本発明による通信端末装置のさらに他の実施例の国名を事前に設定するフローチャートである。
【図７】本発明による通信端末装置のさらに他の実施例での電子メール着信時の処理を示すフローチャートである。
【図８】本発明による通信端末装置のさらに他の実施例での電子メール着信時の処理を示すフローチャートである。
【図９】本発明による通信端末装置のさらに他の実施例の着信時の処理を事前に設定するフローチャートである。
【図１０】本発明による通信端末装置のさらに他の実施例での電子メール着信時の処理を示すフローチャートである。
【符号の説明】
１…制御部、２…記憶部、２ａ〜２ｄ・・・記憶領域、３…アンテナ、４…無線部、５…操作部、６…表示部、７…音声出力部、８…音声入力部。
【図１】
2004310368.tif 000003
【図２】
2004310368.tif 000004
【図３】
2004310368.tif 000005
【図４】
2004310368.tif 000006
【図５】
2004310368.tif 000007
【図６】
2004310368.tif 000008
【図７】
2004310368.tif 000009
【図８】
2004310368.tif 000010
【図９】
2004310368.tif 000011
【図１０】
2004310368.tif 000012